(57)【特許請求の範囲】
【請求項１】
便器本体の排出口に接続された弁ユニットと、
前記弁ユニットに内蔵されたフラッパ弁の開閉を行う電動式のフラッパ開閉手段と、
給水源から送給される洗浄水を前記便器本体内へ供給する導水経路と、
前記導水経路への洗浄水の供給停止を行う電動式の水路開閉バルブと、
前記フラッパ開閉手段及び前記水路開閉バルブを所定のプログラムに従って作動させる水洗制御手段と、
前記水洗制御手段を手動操作する手動入力手段と、を備え、
前記プログラムが、
簡易水洗方式に従って前記フラッパ開閉手段及び前記水路開閉バルブを作動させる第１プログラムと、
本水洗方式に従って前記フラッパ開閉手段及び前記水路開閉バルブを作動させる第２プログラムと、を備え、
前記第１プログラムと前記第２プログラムとを選択的に機能させる切替手段を備え、
前記第１プログラムは、前記水路開閉バルブを開くと同時に前記フラッパ開閉手段を作動させ前記フラッパ弁を開いて所定量の洗浄水を供給するように組まれ、
前記第２プログラムは、前記水路開閉バルブを開くと同時または前記水路開閉バルブを開いた後に前記フラッパ開閉手段を作動させ前記フラッパ弁を開いて前記所定量より多量の洗浄水を供給するように組まれ、
前記水洗制御手段が、前記第１プログラム及び前記第２プログラムの内容（前記フラッパ開閉手段の開閉タイミング、開放時間及び前記水路開閉バルブの開閉タイミング、開放時間）を変更可能な入力手段を備えた水洗便器。
【請求項２】
前記手動入力手段は、無線信号により前記水洗制御手段を操作するものである請求項１記載の水洗便器。
【請求項３】
前記便器本体の上面に配置された便座と、前記便器本体及び前記便座の開口部分を開閉可能に覆う蓋体と、前記蓋体の開閉操作を行う電動式の蓋体駆動手段と、
前記便器本体に対する人体の接近離隔を感知する接近センサと、
前記接近センサの感知信号に基づいて前記蓋体駆動手段を作動させる蓋体制御手段と、
を備えた請求項１または２記載の水洗便器。
【請求項４】
前記水路開閉バルブがダイヤフラムバルブであって、前記ダイヤフラムバルブのブリード孔に挿通されたクリーニングピンが前記水路開閉バルブの外部から操作可能である請求項１〜３のいずれかの項に記載の水洗便器。
【請求項５】
前記水路開閉バルブ及び前記フラッパ弁をそれぞれ手動で開閉させる手動操作手段を備えた請求項１〜４のいずれかの項に記載の水洗便器。
【請求項６】
前記水洗制御手段が電池で動作可能である請求項１〜５のいずれかの項に記載の水洗便器。
【発明の詳細な説明】
【技術分野】
【０００１】
本発明は、手動操作若しくは自動操作で使用することができる水洗便器に関する。
【背景技術】
【０００２】
水洗便器は、簡易水洗方式の便器と、本水洗方式の便器とに大別される。簡易水洗方式の便器は、下水道施設が整っていない地域のトイレシステムなどにおいて使用され、比較的少量（一般に５００ｍＬ以下）の洗浄水を便器本体内へ供給して、汚物を便槽へ洗い流すものである。
【０００３】
従来の簡易水洗便器は、便器本体の排出口を開閉する開閉蓋と、洗浄水を貯留する洗浄水タンクと、洗浄水タンク内に設けられた水開閉弁と、洗浄タンクの上部に設けられた操作レバーと、を備えたものが一般的である。
【０００４】
簡易水洗便器の場合、用便後、操作レバーを操作すると、水開閉弁が開いて洗浄水タンク内の洗浄水が便器本体内へ供給され、これと並行して、所定の連動機構を介して操作レバーと繋がれた開閉蓋が開いて、便器本体内の汚物が洗浄水とともに便器下方の便槽へ洗い流される。
【０００５】
これに対し、本水洗方式の水洗便器は、下水道施設が整った都市部のトイレシステムなどにおいて使用され、比較的多量の水を便器本体内へ供給して、汚物を下水道へ洗い流すものである。
【０００６】
水洗便器については、従来、様々な構造、機能を有するものが提案されているが、本発明に関連するものとして、例えば、特許文献１に記載された「簡易水洗便器の構造」などがある。特許文献１に記載された簡易水洗便器においても、操作レバーを操作することにより、前述と同様の過程を経て、便器本体内の洗浄が行われる。
【先行技術文献】
【特許文献】
【０００７】
【特許文献１】特開２００２−９７７０５号公報
【発明の概要】
【発明が解決しようとする課題】
【０００８】
従来の簡易水洗便器においては、用便後の便器本体内の洗浄を行うとき、洗浄タンクの上方側面に設けられている水洗操作レバーを手動操作にて回転させなければならないので、手指の力が弱った高齢者や手の不自由な障害者などには大きな負担となっている。特に、水洗便器の使用者が弁座に着座した状態のままで、身体の背面側にある水洗操作レバーを操作する場合、腰を捻ったり、腕や背中を曲げたりしなければならないので、肉体的な負担が大である。
【０００９】
また、従来の簡易水洗便器の場合、便器本体の排出口の開閉蓋の開閉操作は、所定の連動機構を介して開閉蓋と繋がれた前記水洗操作レバーによって行われるが、長期間使用するうちに、前記連動機構が摩耗などによって不具合が生じたり、故障して使用不能となったりすることがあるのも実状である。
【００１０】
前述したように、簡易水洗方式の便器は下水道施設が整っていない地域などにおけるトイレシステムとして広く使用されているが、近年、地域住民の高齢化の進行などに伴い、高齢者や身障者が手動操作なしで用を足すことのできる自動式の水洗便器への需要が高まっている。
【００１１】
ところで、下水道施設が整った都市部などのトイレシステムにて使用されている本水洗方式の便器については、トイレに入ったときから出ていくまで、手動操作なしで用を足すことのできる全自動式の水洗便器が開発され、実際に使用されている。
【００１２】
しかしながら、下水道施設が整備されていない地域のトイレシステムにおいて使用される簡易水洗方式の便器（特許文献１に記載された簡易水洗便器など）については自動化が進んでいないのが実状である。
【００１３】
そこで、本発明が解決しようとする第１の課題は、洗浄操作が容易であり、耐久性にも優れた水洗便器を提供することにあり、第２の課題は、下水道施設の有無に左右されずに設置可能であり、手動操作なしで容易に使用することができる自動式の水洗便器を提供することにある。
【課題を解決するための手段】
【００１４】
本願に係る発明である水洗便器は、
便器本体の排出口に接続された弁ユニットと、
前記弁ユニットに内蔵されたフラッパ弁の開閉を行う電動式のフラッパ開閉手段と、
給水源から送給される洗浄水を前記便器本体内へ供給する導水経路と、
前記導水経路への洗浄水の供給停止を行う電動式の水路開閉バルブと、
前記フラッパ開閉手段及び前記水路開閉バルブを所定のプログラムに従って作動させる水洗制御手段と、
前記水洗制御手段を手動操作する手動入力手段と、を備え、
前記プログラムが、
簡易水洗方式に従って前記フラッパ開閉手段及び前記水路開閉バルブを作動させる第１プログラムと、
本水洗方式に従って前記フラッパ開閉手段及び前記水路開閉バルブを作動させる第２プログラムと、を備え、
前記第１プログラムと前記第２プログラムとを選択的に機能させる切替手段を備え、
前記第１プログラムは、前記水路開閉バルブを開くと同時に前記フラッパ開閉手段を作動させ前記フラッパ弁を開いて所定量の洗浄水を供給するように組まれ、
前記第２プログラムは、前記水路開閉バルブを開くと同時または前記水路開閉バルブを開いた後に前記フラッパ開閉手段を作動させ前記フラッパ弁を開いて前記所定量より多量の洗浄水を供給するように組まれ、
前記水洗制御手段が、前記第１プログラム及び前記第２プログラムの内容（前記フラッパ開閉手段の開閉タイミング、開放時間及び前記水路開閉バルブの開閉タイミング、開放時間）を変更可能な入力手段を備えたことを特徴とする。
【００１５】
ここで、前記水洗便器において、前記手動入力手段は、無線信号により前記水洗制御手段を操作するものとすることができる。
【００１８】
さらに、前記水洗便器において、前記水洗制御手段は、前記第１プログラム及び前記第２プログラムの内容を変更可能な入力手段を備えている。
【００１９】
一方、前記水洗便器においては、前記便器本体の上面に配置された便座と、前記便器本体及び前記便座の開口部分を開閉可能に覆う蓋体と、前記蓋体の開閉操作を行う電動式の蓋体駆動手段と、
前記便器本体に対する人体の接近離隔を感知する接近センサと、
前記接近センサの感知信号に基づいて前記蓋体駆動手段を作動させる蓋体制御手段と、
を備えたものとすることができる。
【００２０】
また、前記水洗便器においては、前記水路開閉バルブがダイヤフラムバルブであって、前記ダイヤフラムバルブのブリード孔に挿通されたクリーニングピンが前記水路開閉バルブの外部から操作可能である構成とすることもできる。
【００２１】
また、前記水洗便器においては、前記水路開閉バルブ及び前記フラッパ弁をそれぞれ手動で開閉させる手動操作手段を備えたものとすることもできる。
【００２２】
さらに、前記水洗便器においては、前記水洗制御手段は電池で動作可能なものとすることもできる。
【発明の効果】
【００２３】
本願に係る第１の発明により、洗浄操作が容易であり、耐久性にも優れた水洗便器を提供することができ、同じく第２の発明により、下水道施設の有無に左右されずに設置可能であり、手動操作なしで容易に使用することができる自動式の水洗便器を提供することができる。
【図面の簡単な説明】
【００２４】
【図１】本発明の第１実施形態である水洗便器を示す右側面図である。
【図２】図１に示す水洗便器の一部省略斜視図である。
【図３】図１に示す水洗便器の一部切欠斜視図である。
【図４】図１に示す水洗便器を構成するリモコンの正面図である。
【図５】図１に示す水洗便器を構成する水洗制御手段の裏面図である。
【図６】図１に示す水洗便器を構成する弁ユニットを示す斜視図である。
【図７】図１に示す水洗便器を構成する水路開閉バルブを示す斜視図である。
【図８】図７中の矢線Ａ方向から見た図である。
【図９】図８中のＢ−Ｂ線における断面図である。
【図１０】図８中のＣ−Ｃ線における断面図である。
【図１１】本発明の第２実施形態である自動式の水洗便器を示す右側面図である。
【図１２】図１１に示す水洗便器の一部省略斜視図である。
【図１３】図１２に示す水洗便器の一部切欠斜視図である。
【図１４】図１１に示す水洗便器を構成するリモコンの正面図である。
【図１５】図１１に示す水洗便器を構成する水洗制御手段の背面図である。
【発明を実施するための形態】
【００２５】
以下、図１〜図１０に基づいて、本発明の第１実施形態である水洗便器１００について説明する。
【００２６】
図１〜図７に示すように、本実施形態の水洗便器１００は、トイレルームＴ内の床面Ｆに配置された便器本体１０及びその上面に配置された便座１１と、便器本体１０及び便座１１の開口部分１０ａを開閉可能に覆う蓋体１２と、便器本体１０の排出口１０ｂに接続された弁ユニット３０と、弁ユニット３０に内蔵されたフラッパ弁３１の開閉を行うフラッパ開閉手段３２と、を備えている。蓋体１２の後部は、便器本体１０の上面後部に配置された制御部１５に起伏可能に軸支され、この制御部１５内には、蓋体１２の開閉操作を行う蓋体駆動手段１３及び蓋体制御手段１４などが配置されている。弁ユニット３０の下部には排出管Ｐが接続されている。
【００２７】
便器本体１０には、給水源（図示せず）から供給される洗浄水を便器本体１０内へ供給する導水経路１６が設けられ、給水源から導水経路１６への洗浄水の給水停止を行う水路開閉バルブ４０が導水経路１６の上流側に配置されている。トイレルームＴ内の壁面Ｗには、水洗便器１００を手動操作する際に使用する手動入力手段であるリモコンＲ１と、水洗便器１００に備えられた局部洗浄装置（図示せず）などを手動操作する際に使用するリモコンＲ２、とが配置されている。
【００２８】
リモコンＲ２は、便器本体１０に対する人体の接近離隔を感知する接近センサ２を備えており、リモコンＲ１は、便座１１への人体の着座離座を感知する人感センサ１を備えている。使用者がトイレルームＴに出入りして、便器本体１０に接近離隔すると、接近センサ２がそれを感知して信号を発し、その感知信号に基づいて及び蓋体制御手段１４が蓋体駆動手段１３を作動させ、蓋体１２が自動的に開閉する。
【００２９】
便器本体１０の背面部分には水洗制御手段５０が配置されている。水洗制御手段５０には、フラッパ開閉手段３２及び水路開閉バルブ４０を作動させる所定のプログラムが組み込まれている。水洗制御手段５０は、人感センサ１からの感知信号に基づいて、電動式のフラッパ開閉手段３２及び電動式の水路開閉バルブ４０を、所定のプログラムに従って作動させる機能を有する。リモコンＲ１と水洗制御手段５０との間は、無線信号によって信号の送受信が行われる。
【００３０】
図６に示すように、弁ユニット３０は、略円筒形状のケーシング３３と、ケーシング３３の内部を横断する状態で配置され支軸３６を中心に回動可能なフラッパ弁３１と、レバー３４を介してフラッパ弁３１を開閉するフラッパ開閉手段（ギヤドモータ）３２と、を備えている。レバー３４の延長上（フラッパ開閉手段３２の反対側）には、フラッパ開閉手段３２が機能しないときに、フラッパ弁３１を手動操作で開閉するための手動操作手段（手動操作レバー）３５が設けられている。
【００３１】
図１〜図３に示すように、水路開閉バルブ４０は、カバー４０ａで覆われた状態で、便器本体１０の背面側に配置されている。図７〜図１０に示すように、水路開閉バルブ４０は、電磁ソレノイド４１と、ダイヤフラムバルブ４２と、略Ｌ字形状のレバー４３と、を備えている。電磁ソレノイド４１のプランジャ４１ａがその軸心方向に移動すると、プランジャ４１ａに連接されたレバー４３の下端部４３ｂ側が支持ネジ４４を中心に梃子状に傾動することにより、ダイヤフラムバルブ４２のピストン４２ａの押圧・解除が行われ、これによってダイヤフラムバルブ４２の開放・閉止が行われる。
【００３２】
また、電磁ソレノイド４１が機能しないときは、カバー４０ａの下縁部から突出している、レバー４３の下端部４３ｂを手動操作することによってダイヤフラムバルブ４２の開放・閉止を行うこともできる。
【００３３】
図９，図１０に示すように、ダイヤフラムバルブ４２の内部には、洗浄水を導入する流入路４６ａと、洗浄水を流出させる流出路４７ａと、流入路４６ａと流出路４７ａとを連通・閉止する弁体４２ｂと、流入路４６ａと背圧室４２ｃとを連通するブリード孔４２ｄと、ブリード孔４２ｄ内にその軸心方向に移動可能に挿通されたクリーニングピン４５と、が設けられている。
【００３４】
クリーニングピン４５の太径部４５ｂの上端部分は、ダイヤフラムバルブ４２の上方部分から外部に突出した状態となっている。クリーニングピン４５の上端部分は、レバー４３の上端部分に設けられたスリット部４３ａ内に嵌入されており、クリーニングピン４５の太径部４５ｂの上端部分に複数のナット４５ａが螺着されている。
【００３５】
電磁ソレノイド４１の動作によってレバー４３が支持ネジ４４を中心に傾動すると、これに伴ってレバー４３の上端部分が昇降することにより、レバー４３のスリット４３ａ内に太径部４５ｂが嵌入されたクリーニングピン４５も昇降し、ダイヤフラムバルブ４２内のブリード孔４２ｃのクリーニングが行われる。
【００３６】
また、カバー４０ａの下縁部から突出している、レバー４３の下端部４３ｂを手動操作することによってクリーニングピン４５の太径部４５ｂの上端部分を昇降させ、ブリード孔４２ｃのクリーニングを行うこともできる。
【００３７】
後述するように、水洗便器１００を使用するとき、手動操作されたリモコンＲ１からの無線信号若しくは水洗制御手段５０に組み込まれた自動プログラムの実行により、水路開閉バルブ４０が開放されると、給水源から供給される水（洗浄水）は水路開閉バルブ４０の下方の流入口４６から流入路４６ａを経由してダイヤフラムバルブ４２内へ流入し、弁体４２ｂと弁座４２ｅと隙間を通過して流出路４７ａへ流れ込んだ後、水路開閉バルブ４０の上方の流出口４７から流出して、図５に示すホース４８及び導水経路１６を経由して、便器本体１０内へ供給される。
【００３８】
図５に示す水洗制御手段５０は、簡易水洗方式に従った水洗動作と、本水洗方式に従った水洗動作と、を選択的に設定する切替手段５１を備えている。また、水洗制御手段５０は、簡易水洗方式及び本水洗方式それぞれの水洗動作の内容を変更するための入力手段５２を備えている。切替手段５１の複数のスイッチのＯＮ，ＯＦＦ状態をそれぞれ所定状態にセットすることにより、簡易水洗方式若しくは本水洗方式のいずれかに設定することができる。
【００３９】
さらに、簡易水洗方式及び本水洗方式のいずれを選択した場合においても、洗浄排水をリモコンＲ１の手動操作によって実行する手動モード、若しくは、所定のプログラムに従って自動的に実行する自動モードのいずれかを選択する切替スイッチ（図示せず）が水洗制御手段５０に設けられている。また、水洗制御手段５０には、停電時などに水路開閉バルブ４０及びフラッパ開閉手段３２を電動操作するための電池５３が着脱可能に装着されている。
【００４０】
前述したように、水洗制御手段５０は、所定のプログラムに基づいて、用便前の便器本体１０内へ洗浄水を供給して所定量の溜水を貯留する機能と、用便後の便器本体１０内へ洗浄水を供給すると同時にフラッパ弁３１を開く機能と、フラッパ弁３１が開いた後、便器本体１０内へ洗浄水を供給し続ける機能と、フラッパ弁３１が開いた後、所定時間経過した時点でフラッパ弁３１を閉じる機能と、フラッパ弁３１が閉じた後、所定時間経過した時点で便器本体１０内への洗浄水の供給を停止する機能と、を備えている。
【００４１】
水洗制御手段５０に組み込まれているプログラムは、簡易水洗方式に従ってフラッパ開閉手段３２及び水路開閉バルブ４０を電動作動させる第１プログラムと、本水洗方式に従ってフラッパ開閉手段３２及び水路開閉バルブ３４を電動操作させる第２プログラムと、を備えている。
【００４２】
前記第１プログラム（簡易水洗方式）は、比較的少量（一般に５００ｍＬ以下）の洗浄水を便器本体１０内へ供給すると同時に、フラッパ弁３１を開いて、汚物を排出管Ｐ下方の便槽（図示せず）内へ洗い流すように組まれている。前記第２プログラム（本水洗方式）は、用便後、比較的多量の洗浄水を便器本体１０内へ供給すると同時にフラッパ弁３１を開いて、汚物を下水道（図示せず）へ洗い流すように組まれている。
【００４３】
前述したように、図５に示す水洗制御手段５０は、プログラムの内容を変更するための入力手段５２を備えている。具体的には、水洗制御手段５０の背面には、４つのタイマ５２ａ，５２ｂ，５２ｃ，５２ｄが配置されている。タイマ５２ａは、用便前の便器本体１０内に対して洗浄水を供給する補水時間を調整するためのものである。タイマ５２ｂは、大便後、フラッパ弁３１を開くと同時に便器本体１０内への洗浄水の供給を開始し、フラッパ弁３１を閉じるまでの大洗浄時間を調整するためのものである。タイマ５２ｃは、小便後、フラッパ弁３１を開くと同時に便器本体１０内への洗浄水の供給を開始し、フラッパ弁３１を閉じるまでの小洗浄時間を調整するためのものである。タイマ５２ｄは、フラッパ弁３１を閉じた後、便器本体１０内への洗浄水の供給を停止するまでの溜水洗浄時間を調整するためのものである。
【００４４】
水洗便器１００は、後述するように、手動操作なしでも使用することができるが、図４に示すように、洗浄排水を手動操作で実行可能なリモコンＲ１を備えている。図４に示すように、リモコンＲ１は、人感センサ１のほかに、手動操作の際に使用する複数の操作ボタンＲ１１，Ｒ１２，Ｒ１３，Ｒ１４を備えている。操作ボタンＲ１１は、大便後に洗浄水を流すときに使用するものであり、操作ボタンＲ１２は小便後に洗浄水を流すときに使用するものである。操作ボタンＲ１３は、便器本体１０の掃除などの際にフラッパ弁３１を開閉するときに使用するものであり、Ｒ１４は便器本体１０内へ洗浄水を補給するときに使用するものである。
【００４５】
次に、水洗便器１００の使い方、動作状態などについて説明する。水洗便器１００を簡易水洗方式の自動洗浄便器として使用する場合は、図５に示す水洗制御手段５０の背面にある切替手段５１を構成する複数のスイッチのうち、スイッチ１，４，５をＯＮにセットし、スイッチ２，３をＯＦにセットする。
【００４６】
図１に示すトイレルームＴ内に使用者が入ると、リモコンＲ２の接近センサ２がそれを感知して、蓋体制御手段１４へ感知信号が送信され、電動式の蓋体駆動手段１３が作動して蓋体１２が自動的に開かれる。
【００４７】
トイレルームＴ内へ入った使用者が便座１１上に着座すると、簡易水洗方式の第１プログラムがスタートし、これに基づいて弁ユニット３０及び水路開閉バルブ４０などが作動する。水洗便器１００が、簡易水洗方式の第１プログラムに基づいて機能するときの動作内容の要部は、次の（１）〜（５）の通りである。
【００４８】
（１）使用者が便座１１上に着座したことを人感センサ１が感知すると、水路開閉バルブ４０が所定時間開いて、導水経路１６から便器本体１０内へ洗浄水が供給され、便器本体１０の内面が水で濡らされるとともに、閉状態にあるフラッパ弁３１上に溜水が貯留される。このときの溜水の量は、約１００ｍＬ〜２００ｍＬ程度が好適であるが、これに限定するものではない。
（２）用便及び局部洗浄を済ませた使用者が便座１１から立ち上がり、便器本体１０から離れると、人感センサ１からの感知信号に基づいてフラッパ開閉手段３２が作動してフラッパ弁３１が開くと同時に、水路開閉バルブ４０が開いて導水経路１６から便器本体１０内へ洗浄水が供給され、この後も所定時間、フラッパ弁３１が開いた状態で洗浄水が供給され続ける。これにより、便器本体１０内の便は洗浄水とともに、排出管Ｐを経て便槽（図示せず）へ洗い流される。
（３）フラッパ弁３１が開いた状態で洗浄水が供給され続ける時間は、用便の種類に応じて、大便後の大洗浄時間と小便後の小洗浄時間とが設定されており、大洗浄時間は小洗浄時間より長く設定されている。
（４）フラッパ弁３１が開いた状態で便器本体１０内へ洗浄水が供給されている状態で、前記大洗浄時間若しくは前記小洗浄時間が経過すると、フラッパ開閉手段３２が作動してフラッパ弁３１が閉じられる。
（５）フラッパ弁３１が閉じられた後も、導水経路１６から便器本体１０内へ洗浄水が所定時間供給され、これによって便器本体１０内のフラッパ弁３１上に溜水が貯留され、簡易水洗方式の第１プログラムが終了する。
【００４９】
このように、水洗便器１００が簡易水洗方式の第１プログラムに基づいて機能するとき、トイレルームＴ内に入った使用者は、便座１１上に着座した後、用便及び局部洗浄を済ませて、便座１１から立ち上がり、トイレルームＴから出て行くまでの一連の動作を、リモコンＲ１，Ｒ２やその他の機器（蓋体１２や便座１１など）に全く手を触れる（操作する）ことなく実行することができる。
【００５０】
従って、水洗便器１００は、簡易水洗方式においても、高齢者や身障者が容易に使用することができる。また、水洗便器１００を構成するフラッパ開閉手段３２及び水路開閉バルブ４０はいずれも電動式であり、フラッパ開閉手段３２と水路開閉バルブ４０とを連動させる機械的な連携機構も不要であるため、耐久性も良好である。
【００５１】
また、水洗便器１００は、水洗制御手段５０の機能を切り替えることにより、リモコンＲ１の操作ボタンＲ１１〜Ｒ１２を手動操作することにより、溜水の補給や用便後の洗浄排水を行うことが可能である。この場合の手動操作は、リモコンＲ１の操作ボタンＲ１１〜Ｒ１２の押圧操作のみで良いので、洗浄操作などは極めて容易である。
【００５２】
前述したように、水洗便器１００は、便器本体１０に対する人体の接近離隔を感知する接近センサ２と、便座１１への人体の着座離座を感知する人感センサ１と、人感センサ１からの感知信号に基づいてフラッパ開閉手段３２及び水路開閉バルブ４０を所定のプログラムに従って電動作動させる水洗制御手段５０と、を備えている。
【００５３】
このため、水洗便器１００は、下水道設備のない地域に配置され、簡易水洗方式の便器として使用する場合、簡易水洗方式の第１プログラムに従って自動的に動作可能であり、使用者は全く手動操作することなく、用を足すことができる。
【００５４】
一方、水洗便器１００が設置された地域に下水道設備が整備された場合、水洗制御手段５０の切替手段５１の設定を変更することにより、本水洗方式の第２プログラムに従った自動運転若しくはリモコンＲ１を使用した本水洗方式の手動運転を行うことができる。水洗便器１００が、本水洗方式の第２プログラムに基づいて機能するときの動作内容の要部は、次の（１）〜（５）の通りである。
【００５５】
（１）使用者が便座１１上に着座したことを人感センサ１が感知すると、水路開閉バルブ４０が所定時間開いて、導水経路１６から便器本体１０内へ洗浄水が供給され、便器本体１０の内面が水で濡らされるとともに、閉状態にあるフラッパ弁３１上に溜水が貯留される。このときの溜水の量は、簡易水洗モードの場合の溜水量（約１００ｍＬ〜２００ｍＬ程度）よりも多く、約１．５Ｌ〜２．５Ｌ程度が好適であるが、これに限定するものではない。
（２）用便及び局部洗浄を済ませた使用者が便座１１から立ち上がり、便器本体１０から離れると、人感センサ１からの感知信号に基づいてフラッパ開閉手段３２が作動してフラッパ弁３１が開くと同時に、水路開閉バルブ４０が開いて導水経路１６から便器本体１０内へ洗浄水が供給され、この後も所定時間、フラッパ弁３１が開いた状態で洗浄水が供給され続ける。これにより、便器本体１０内の便は洗浄水とともに、排出管Ｐ及び下水配管を経て公共下水道へ洗い流される。
（３）フラッパ弁３１が開いた状態で洗浄水が供給され続ける時間は、用便の種類に応じて、大便後の大洗浄時間と小便後の小洗浄時間とが設定されており、大洗浄時間は小洗浄時間より長く設定されている。
（４）フラッパ弁３１が開いた状態で便器本体１０内へ洗浄水が供給されている状態で、前記大洗浄時間若しくは前記小洗浄時間が経過すると、フラッパ開閉手段３２が作動してフラッパ弁３１が閉じられる。
（５）フラッパ弁３１が閉じられた後も、導水経路１６から便器本体１０内へ洗浄水が所定時間供給され、これによって便器本体１０内のフラッパ弁３１上に溜水が貯留され、本水洗方式の第２プログラムが終了する。
【００５６】
そのほか、水洗便器１００においては、停電などの非常時には、手動操作レバー３５，４３ｂを操作して水路開閉バルブ４０やフラッパ弁３１を開閉して洗浄排水を行うことができる。また、水洗制御手段５０に電池５３を装着することにより、水路開閉バルブ４０やフラッパ開閉手段３２を電動操作することもできる。
【００５７】
次に、図１１〜図１５に基づいて、本発明の第２実施形態である自動式の水洗便器２００について説明する。
【００５８】
図１１〜図１３に示すように、本実施形態の水洗便器２００は、トイレルームＴ内の床面Ｆに配置された便器本体１０及びその上面に配置された便座１１と、便器本体１０及び便座１１の開口部分１０ａを開閉可能に覆う蓋体１２と、便器本体１０の下部の排出口１０ｂに接続された弁ユニット３０と、弁ユニット３０に内蔵されたフラッパ弁３１の開閉を行う電動式のフラッパ開閉手段３２と、を備えている。弁ユニット３０の下部には排出管Ｐが接続されている。
【００５９】
蓋体１２の後部は、便器本体１０の上面後部に配置された制御部１５に起伏可能に軸支されており、蓋体１２の開閉操作を行う電動式の蓋体駆動手段１３などが制御部１５内に配置されている。本実施形態においては、フラッパ開閉手段３２として、ギヤドモータを使用しているが、これに限定するものではない。
【００６０】
また、便器本体１０には、給水源（図示せず）から供給される洗浄水を便器本体１０内へ供給する導水経路１６と、給水源から導水経路１６への洗浄水の給水停止を行う電動式の水路開閉バルブ４０と、を備えている。水路開閉バルブ４０は、カバー４０ａによって覆われている。トイレルームＴ内の壁面Ｗには、自動水洗便器２００を手動操作する際に使用するリモコンＲ１と、自動水洗便器１００に備えられた局部洗浄装置（図示せず）を操作する際に使用するリモコンＲ２と、が配置されている。リモコンＲ１，Ｒ２の電源は電池を使用している。
【００６１】
リモコンＲ２は、便器本体１０に対する人体の接近離隔を感知する接近センサ２を備え、リモコンＲ１は、便座１１への人体の着座離座を感知する人感センサ１を備えている。また、接近センサ２からの感知信号に基づいて蓋体駆動手段１３を作動させる蓋体制御手段１４が制御部１５内に配置されている。
【００６２】
さらに、人感センサ１からの感知信号に基づいてフラッパ開閉手段３２及び水路開閉バルブ４０を所定のプログラムに従って電動作動させる水洗制御手段５０が、便器本体１０の背面に配置されている。平常時において、蓋体駆動手段１３、フラッパ開閉手段３２、水路開閉バルブ４０及び水洗制御手段５０などは商用電源（ＡＣ１００Ｖ）で作動する。
【００６３】
水洗制御手段５０に組み込まれているプログラムは、簡易水洗方式に従ってフラッパ開閉手段３２及び水路開閉バルブ４０を電動作動させる第１プログラムと、本水洗方式に従ってフラッパ開閉手段３２及び水路開閉バルブ４０を電動操作させる第２プログラムと、を備えている。
【００６４】
水洗便器２００は、後述するように、手動操作なしで使用することができるが、図１４に示すように、手動操作も可能なリモコンＲ１を備えている。図１４に示すように、リモコンＲ１は、人感センサ１のほかに、手動操作の際に使用する複数の操作ボタンＲ１１，Ｒ１２，Ｒ１３，Ｒ１４を備えている。操作ボタンＲ１１は、大便後に洗浄水を流すときに使用するものであり、操作ボタンＲ１２は小便後に洗浄水を流すときに使用するものである。操作ボタンＲ１３は、便器本体１０の掃除などの際にフラッパ弁３１を開閉するときに使用するものであり、Ｒ１４は便器本体１０内へ洗浄水を補給するときに使用するものである。
【００６５】
図１５に示すように、水洗制御手段５０は、前記第１プログラム（簡易水洗方式）と前記第２プログラム（本水洗方式）とを選択的に機能させる切替手段５１を備えている。また、水洗制御手段５０は、前記第１プログラム及び前記第２プログラムの内容を変更するための入力手段５２を備えている。さらに、水洗制御手段５０には、停電時などに水路開閉バルブ４０及びフラッパ開閉手段３２を電動操作するための電池５３が着脱可能に装着されている。
【００６６】
前記第１プログラム（簡易水洗方式）は、比較的少量（一般に５００ｍＬ以下）の洗浄水を便器本体１０内へ供給すると同時に、フラッパ弁３１を開いて、汚物を排出管Ｐ下方の便槽（図示せず）内へ洗い流すように組まれている。前記第２プログラム（本水洗方式）は、比較的多量の洗浄水を便器本体１０内へ供給した後、フラッパ弁３１を開いて、汚物を下水道（図示せず）へ洗い流すように組まれている。
【００６７】
前記前記第１プログラム（簡易水洗方式）及び前記第２プログラム（本水洗方式）の内容（例えば、フラッパ弁３１の開閉タイミング、開放時間及び水路開閉バルブ４０の開閉タイミング、開放時間など）は入力手段５２を調整することによって変更することができる。
【００６８】
弁ユニット３０には、停電などの非常時に、フラッパ弁３１を手動操作で開閉するための手動操作手段（手動操作レバー３５）が設けられている。水路開閉バルブ４０にも、同様に、当該水路開閉バルブ４０を手動操作で開閉させる手動操作手段（手動操作レバー４３ｂ）が設けられている。
【００６９】
次に、水洗便器２００の使い方、動作状態などについて説明する。図１１に示す水洗便器２００を簡易水洗方式の便器として使用する場合は、図１５に示す水洗制御手段５０の背面にある切替手段５１を簡易水洗モード（図示せず）にセットする。
【００７０】
図１１に示すトイレルームＴ内に使用者が入ると、リモコンＲ２の接近センサ２がそれを感知して、蓋体制御手段１４へ感知信号が送信され、電動式の蓋体駆動手段１３が作動して蓋体１２が自動的に開かれるとともに、水洗便器２００は、簡易水洗方式の第１プログラムに基づく「自動洗浄ＯＮ」の状態となる。
【００７１】
この後、使用者が便座１１上に着座すると、簡易水洗方式の第１プログラムがスタートし、これに基づいて弁ユニット３０及び水路開閉バルブ４０などが自動的に作動する。水洗便器２００が、簡易水洗方式の第１プログラムに基づいて機能するときの動作内容の要部は、次の（１）〜（４）の通りである。
【００７２】
（１）使用者が便座１１上に着座したことを人感センサ１が感知すると、水路開閉バルブ４０が所定時間開いて、導水経路１６から便器本体１０内へ洗浄水が供給され、便器本体１０の内面が水で濡らされるとともに、閉状態にあるフラッパ弁３１上に溜水が貯留される。このときの溜水の量は、約１００ｍＬ〜２００ｍＬ程度が好適であるが、これに限定するものではない。
（２）用便及び局部洗浄を済ませた使用者が便座１１から立ち上がり、便器本体１０から離れると、人感センサ１からの感知信号に基づいてフラッパ開閉手段３２が作動してフラッパ弁３１が開くと同時に、水路開閉バルブ４０が開いて導水経路１６から便器本体１０内へ洗浄水が供給され、便器本体１０内の便は洗浄水とともに、排出管Ｐを経て便槽内へ洗い流される。
（３）便器本体１０内へ洗浄水が供給されている状態で所定時間が経過すると、フラッパ開閉手段３２が作動してフラッパ弁３１が閉じられる。
（４）フラッパ弁３１が閉じられた後も、導水経路１６から便器本体１０内へ洗浄水が所定時間供給され、これによって便器本体１０内のフラッパ弁３１上に溜水が貯留され、簡易水洗方式の第１プログラムが終了する。
【００７３】
このように、水洗便器２００が、簡易水洗方式の第１プログラムに基づいて機能するとき、トイレルームＴ内に入った使用者は、便座１１上に着座した後、用便及び局部洗浄を済ませて、便座１１から立ち上がり、トイレルームＴから出て行くまでの一連の動作を、リモコンＲ１，Ｒ２やその他の機器（蓋体１２や便座１１など）に全く手を触れる（操作する）ことなく実行することができる。従って、水洗便器２００は、高齢者や身障者でも、容易に使用することができる
【００７４】
次に、図１１に示す水洗便器２００を本水洗方式の便器として使用する場合について説明する。水洗便器２００を本水洗方式の第２プログラムに基づいて機能させる場合は、図１５に示す水洗制御手段５０の背面にある切替手段５１を、本水洗モード（図示せず）にセットする。
【００７５】
図１に示すトイレルームＴ内に使用者が入ると、リモコンＲ２の接近センサ２がそれを感知して、蓋体制御手段１４へ感知信号が送信され、電動式の蓋体駆動手段１３が作動して蓋体１２が自動的に開かれるとともに、水洗便器２００は、本水洗方式の第２プログラムに基づく「自動洗浄ＯＮ」の状態となる。
【００７６】
この後、使用者が便座１１上に着座すると、簡易水洗方式の第２プログラムがスタートし、これに基づいて弁ユニット３０及び水路開閉バルブ４０などが自動的に作動する。水洗便器２００が、本水洗方式の第２プログラムに基づいて機能するときの動作内容の要部は、次の（１）〜（４）の通りである。
【００７７】
（１）使用者が便座１１上に着座したことを人感センサ１が感知すると、水路開閉バルブ４０が所定時間開いて、導水経路１６から便器本体１０内へ洗浄水が供給され、便器本体１０の内面が水で濡らされるとともに、閉状態にあるフラッパ弁３１上に溜水が貯留される。このときの溜水の量は簡易水洗モードのときよりも多く、約１．５Ｌ〜２．５Ｌ程度が好適であるが、これに限定するものではない。
（２）用便及び局部洗浄を済ませた使用者が便座１１から立ち上がり、便器本体１０から離れると、人感センサ１からの感知信号に基づいてフラッパ開閉手段３２が作動してフラッパ弁３１が開くと同時に、水路開閉バルブ４０が開いて導水経路１６から便器本体１０内へ洗浄水が供給され、この後も所定時間、フラッパ弁３１が開いた状態で洗浄水が供給され続ける。これにより、便器本体１０内の便は洗浄水とともに、排出管Ｐ及び下水配管を経て公共下水道へ洗い流される。
（３）フラッパ弁３１が開いた状態で便器本体１０内へ洗浄水が供給されている状態で所定時間が経過すると、フラッパ開閉手段３２が作動してフラッパ弁３１が閉じられる。
（４）フラッパ弁３１が閉じられた後も、導水経路１６から便器本体１０内へ洗浄水が所定時間供給され、これによって便器本体１０内のフラッパ弁３１上に溜水が貯留され、本水洗方式の第２プログラムが終了する。
【００７８】
このように、水洗便器２００が、本水洗方式の第１プログラムに基づいて機能するときも、トイレルームＴ内に入った使用者は、便座１１上に着座した後、用便及び局部洗浄を済ませて、便座１１から立ち上がり、トイレルームＴから出て行くまでの一連の動作を、リモコンＲ１，Ｒ２やその他の機器（蓋体１２や弁座１１など）に全く手を触れる（操作する）ことなく実行することができる。従って、水洗便器２００は、本水洗モードにおいても、高齢者や身障者が容易に使用することができる
【００７９】
前述したように、水洗便器２００は、便器本体１０に対する人体の接近離隔を感知する接近センサ２と、便座１１への人体の着座離座を感知する人感センサ１と、人感センサ１からの感知信号に基づいてフラッパ開閉手段３２及び水路開閉バルブ４０を所定のプログラムに従って電動作動させる水洗制御手段５０と、を備えている。
【００８０】
このため、自動式の水洗便器１００は、下水道設備の整っていない地域に配置され、簡易水洗方式の便器として使用する場合は、簡易水洗方式の第１プログラムに従って自動的に動作可能であり、使用者は全く手動操作することなく、用を足すことができる。
【００８１】
また、水洗制御手段５０の切替手段５１を操作して本水洗方式の第２プログラムに切り替えれば、本水洗方式の水洗便器として使用することができ、この場合も、自動的に動作するので、使用者は全く手動操作することなく、用を足すことができる。
【００８２】
このように、水洗便器２００は、水洗制御手段５０の切替手段５１を操作することにより、簡易水洗モードと本水洗モードとの切り替えが可能であるため、下水道施設の有無に左右されることなく、設置することができる。また、簡易水洗モード及び本水洗モードのいずれにセットした場合においても、使用者は全く手動操作することなく、用を足すことができる。
【００８３】
また、停電などの非常時には、手動操作レバー３５，４３ｂを操作して水路開閉バルブ４０やフラッパ弁３１を開閉することができるほか、水洗制御手段５０に電池５３を装着することにより、水路開閉バルブ４０やフラッパ開閉手段３２を電動操作することができる。
【００８４】
なお、図１〜図１５に基づいて説明した自動水洗便器１００，２００は本発明を例示するものであり、本発明の水洗便器は前述した水洗便器１００，２００に限定されない。
【産業上の利用可能性】
【００８５】
本発明の自動水洗便器は、一般の戸建住宅、集合住宅あるいは公共施設などのトイレシステムにおいて広く利用することができる。
【符号の説明】
【００８６】
１  人感センサ
２  接近センサ
１０  便器本体
１０ａ  開口部分
１０ｂ  排出口
１１  便座
１２  蓋体
３０  弁ユニット
３１  フラッパ弁
３２  フラッパ開閉手段（ギヤドモータ）
３３  ケーシング
３４  レバー
３５，４３ｂ  手動操作レバー
３６  支軸
４０  水路開閉バルブ
４０ａ  カバー
４１  電磁ソレノイド
４１ａ  プランジャ
４２  ダイヤフラムバルブ
４２ａ  ピストン
４２ｂ  弁体
４２ｃ  背圧室
４２ｄ  ブリード孔
４２ｅ  弁座
４３  レバー
４３ａ  スリット部
４４  支持ネジ
４５  クリーニングピン
４５ａ  ナット
４５ｂ  太径部
４６  流入口
４６ａ  流入路
４７  流出口
４７ａ  流出路
４８  ホース
５０  水洗制御手段
１００，２００  水洗便器
Ｐ  排出管
Ｒ１，Ｒ２  リモコン
Ｒ１１，Ｒ１２，Ｒ１３，Ｒ１４  押ボタン
Ｔ  トイレルーム
Ｗ  壁面
Ｔ  トイレルーム
Ｗ  壁面
【図１】
0006483045.tif 000002
【図２】
0006483045.tif 000003
【図３】
0006483045.tif 000004
【図４】
0006483045.tif 000005
【図５】
0006483045.tif 000006
【図６】
0006483045.tif 000007
【図７】
0006483045.tif 000008
【図８】
0006483045.tif 000009
【図９】
0006483045.tif 000010
【図１０】
0006483045.tif 000011
【図１１】
0006483045.tif 000012
【図１２】
0006483045.tif 000013
【図１３】
0006483045.tif 000014
【図１４】
0006483045.tif 000015
【図１５】
0006483045.tif 000016